Podtech/llm-jp-corpus-v4-ja_patent huggingface dataset:
【手続補正書】
【提出日】平成26年9月2日(2014.9.2)
【手続補正１】
【補正対象書類名】特許請求の範囲
【補正対象項目名】全文
【補正方法】変更
【補正の内容】
【特許請求の範囲】
【請求項１】
磁気記録メディアの第１の表面に対して垂直に延伸する単一磁極を形成することと、
前記単一磁極を成形することにより、前記第１の表面に対して垂直をなすように平坦化されたリーディング面を形成することと、
前記リーディング面と平行に、かつ、１０以上６０ｎｍ以下の第１の距離を隔てるように、前記第１の表面においてホットスポットを生成するプラズモンジェネレータを配置することと、
前記リーディングエッジからの第２の距離が５０ｎｍ以下である終端縁へ向けて前記リーディング面から広がるエアベアリング面を有することとなるように前記単一磁極を成形することと、
前記単一磁極に、前記終端縁から始まり、前記エアベアリング面に対して３０°以上７０°以下の角度で前記第１の表面から遠ざかるトレーリング面を形成すること
とを含み、前記単一磁極によって形成される記録磁界のピークを前記ホットスポットと重ね合わせるようにした
熱アシスト磁気記録方法。
【請求項２】
前記第２の距離を零とする
請求項１記載の熱アシスト磁気記録方法。
【請求項３】
前記エアベアリング面を、前記第１の表面から１ｎｍ以上１５ｎｍ以下の位置とする
請求項１記載の熱アシスト磁気記録方法。
【請求項４】
前記プラズモンジェネレータを、５００以上１４００ｎｍ以下の波長を有するプラズモンを射出するものとする
請求項１記載の熱アシスト磁気記録方法。
【請求項５】
磁気記録メディアの第１の表面に対して垂直に延伸するメインポールと、前記メインポールと磁気的に結合されたスティッチトポールとを含む複合型磁極を設けることと、
前記スティッチトポールを、前記メインポールから延伸する上面および下面と、上部エッジおよび下部エッジにおいて前記上面および下面とそれぞれ接続されたリーディング面とを有するように成形することと、
前記メインポールに対して平行であり、前記スティッチトポールからの最短距離が１０ｎｍ以上６０ｎｍ以下となるように配置され、前記第１の表面においてホットスポットを形成するプラズモンジェネレータを設けること
とを含み、
前記リーディング面を前記第１の表面に対して垂直とし、
前記上面を前記第１の表面と平行とし、
前記下面を、前記リーディング面および第１の表面の双方から遠ざかるように、かつ、前記第１の表面に対して３０°以上７０°以下の範囲の傾斜角をなすように傾斜させ、
前記複合型磁極が形成する記録磁界のピークと前記ホットスポットとを重ね合わせるようにした
熱アシスト磁気記録方法。
【請求項６】
前記下部エッジを、前記メインポールから１００ｎｍ以上１０００ｎｍ以下の距離を有する位置に設ける
請求項５記載の熱アシスト磁気記録方法。
【請求項７】
前記リーディング面を、前記第１の表面に対して４５°以上８０°以下の角度をなすようにし、
前記下面を、前記メインポールから延伸させて前記上面よりも長い寸法とすると共に、前記リーディング面および第１の表面の双方から遠ざかるように前記第１の面に対して３０°以上７０°以下の角度で傾斜させる
請求項５記載の熱アシスト磁気記録方法。
【請求項８】
前記下部エッジを、前記メインポールから１００ｎｍ以上１０００ｎｍ以下の距離だけ離れた位置とする
請求項７記載の熱アシスト磁気記録方法。
【請求項９】
磁気記録メディアの第１の表面に対して垂直に延伸し、かつ、前記第１の表面に対して垂直をなすように平坦化されたリーディング面を有する単一磁極と、
前記リーディング面に対して第１の距離を隔てて平行に設けられたプラズモンジェネレータと
を備え、
前記単一磁極は前記リーディング面からの第２の距離が５０ｎｍ以下である端縁に至るまで延在するエアベアリング面を有し、
前記単一磁極は、前記端縁から前記エアベアリング面に対して３０°以上７０°以下の角度で前記第１の表面から遠ざかるトレーリング面を有し、
前記第１の距離は、前記プラズモンジェネレータおよびリーディング面の相互間距離であり、１０ｎｍ以上６０ｎｍ以下である
熱アシスト磁気記録ヘッド。
【請求項１０】
前記第２の距離が零である
請求項９記載の熱アシスト磁気記録ヘッド。
【請求項１１】
前記エアベアリング面は、前記第１の表面から１ｎｍ以上１５ｎｍ以下の距離に位置する
請求項９記載の熱アシスト磁気記録ヘッド。
【請求項１２】
前記プラズモンジェネレータは、５００ｎｍ以上１４００ｎｍ以下の波長を有するプラズモンを放射するものである
請求項９記載の熱アシスト磁気記録ヘッド。
【請求項１３】
磁気記録メディアの第１の表面に対して垂直に延伸するメインポールと、前記メインポールと磁気的に結合されたスティッチトポールとを含む複合型磁極と、
前記第１の表面においてホットスポットを生成するプラズモンジェネレータと
を備え、
前記スティッチトポールは、前記メインポールから延伸する上面および下面と、前記上面および下面と上部エッジおよび下部エッジにおいてそれぞれ接続されたリーディング面  とを有し、
前記プラズモンジェネレータと前記リーディング面との第１の距離は１０以上６０ｎｍ以下であり、
前記リーディング面は前記第１の表面に対して垂直であり、
前記上面は前記第１の表面に対して平行であり、
前記下面は前記リーディング面および第１の表面の双方から遠ざかるように、かつ、前記第１の表面に対して３０°以上７０°以下の範囲の傾斜角をなすように傾斜しており、
前記複合型磁極が形成する記録磁界のピークと前記ホットスポットとを重ね合わせるようにした
熱アシスト磁気記録ヘッド。
【請求項１４】
前記下部エッジは、前記メインポールから１００ｎｍ以上１０００ｎｍ以下の距離に位置する
請求項１３記載の熱アシスト磁気記録ヘッド。
【請求項１５】
前記リーディング面は、前記第１の表面に対して４５°以上８０°以下の角度をなし、
前記下面は、前記メインポールから延伸し、前記上面よりも長い寸法を有すると共に、前記リーディング面および第１の表面の双方から遠ざかるように前記第１の表面に対して３０°以上７０°以下の角度で傾斜している
請求項１３記載の熱アシスト磁気記録ヘッド。
【請求項１６】
前記下部エッジは、前記メインポールから１００ｎｍ以上１０００ｎｍ以下の距離に位置する
請求項１３記載の熱アシスト磁気記録ヘッド。
【手続補正書】
【提出日】平成26年5月27日(2014.5.27)
【手続補正１】
【補正対象書類名】特許請求の範囲
【補正対象項目名】全文
【補正方法】変更
【補正の内容】
【特許請求の範囲】
【請求項１】
磁極先端部と、
エアベアリング面内において前記磁極先端部の周囲を囲むと共に、一体構造を有する磁気シールドとを備え、
前記磁気シールドは、クロストラック方向のエッジを有するトレーリングエッジシールド部と、前記トレーリングエッジシールド部の前記エッジから、前記クロストラック方向に垂直な方向であるダウントラック方向（イントラック方向）に突出した２つのサイドシールド部とを含み、
前記２つのサイドシールド部はそれぞれ、前記トレーリングエッジシールド部の前記エッジからダウントラック方向に突出した矩形状の突出部であり、前記磁極先端部の周囲に対称的に水平方向に分離して配置され、前記トレーリングエッジシールド部の前記エッジと共にπ形形状を形成し、
前記突出部の高さ対幅を表すアスペクト比が０．５〜１．０であり、
前記磁極先端部に隣り合う前記突出部のエッジに沿った前記２つのサイドシールド部の磁化容易軸方向が前記ダウントラック方向であり、
前記２つのサイドシールド部から磁束が放出される方向も前記ダウントラック方向であり、
それによって、前記２つのサイドシールド部から放出される磁束がクロストラック方向に広がらず、隣接トラック消去を生じさせない
垂直磁気記録ヘッド。
【請求項２】
前記磁気シールドは、ＮｉＦｅ、ＣｏＦｅまたはＣｏＮｉＦｅからなる磁性材料によって形成され、０．１ミクロン〜１．０ミクロンの範囲の均一な厚さを有する
請求項１記載の垂直磁気記録ヘッド。
【請求項３】
前記サイドシールド部を形成する前記突出部は、クロストラック方向に０．１〜１．０ミクロンの幅を有し、０．１ミクロン〜０．４ミクロンの距離で互いに分離している
請求項２記載の垂直磁気記録ヘッド。
【請求項４】
前記磁気シールドは、隣接トラック消去を生じさせる前記磁極先端部におけるフリンジ磁界を排除するとともに、隣接トラックを越えたトラックの消去までさらに生じさせる自身の磁界を生成しない
請求項１記載の垂直磁気記録ヘッド。
【請求項５】
前記磁極先端部の断面形状は、台形であり、
前記台形は、互いに平行なトレーリングエッジおよびリーディングエッジを有し、
前記トレーリングエッジは、前記リーディングエッジよりも幅広く、
前記磁極先端部は、前記エアベアリング面から離れる方向にテーパ面を有し、かつ前記リーディングエッジから前記トレーリングエッジまでの幅は、前記エアベアリング面において最も狭くなっている
請求項１記載の垂直磁気記録ヘッド。
【手続補正２】
【補正対象書類名】明細書
【補正対象項目名】００１５
【補正方法】変更
【補正の内容】
【００１５】
本発明の垂直磁気記録ヘッドは、磁極先端部と、エアベアリング面内において磁極先端部の周囲を囲むと共に、一体構造を有する磁気シールドとを備え、磁気シールドは、クロストラック方向のエッジを有するトレーリングエッジシールド部と、トレーリングエッジシールド部のエッジから、クロストラック方向に垂直な方向であるダウントラック方向（イントラック方向）に突出した２つのサイドシールド部とを含み、２つのサイドシールド部はそれぞれ、トレーリングエッジシールド部のエッジからダウントラック方向に突出した矩形状の突出部であり、磁極先端部の周囲に対称的に水平方向に分離して配置され、トレーリングエッジシールド部のエッジと共にπ形形状を形成し、突出部の高さ対幅を表すアスペクト比が０．５〜１．０であり、磁極先端部に隣り合う突出部のエッジに沿った２つのサイドシールド部の磁化容易軸方向がダウントラック方向であり、２つのサイドシールド部から磁束が放出される方向もダウントラック方向であり、それによって、２つのサイドシールド部から放出される磁束がクロストラック方向に広がらず、隣接トラック消去を生じさせないものである。
【手続補正書】
【提出日】平成26年4月11日(2014.4.11)
【手続補正１】
【補正対象書類名】特許請求の範囲
【補正対象項目名】全文
【補正方法】変更
【補正の内容】
【特許請求の範囲】
【請求項１】
記憶媒体にデータを記憶させる方法（２００）であって、
１及び０のビット状態を含む複数のビットを含む変調ビットストリームを受け取るステップ（２０２）と、
複数の二次変調ビットを出力するために前記１のビット状態を含む前記複数のビットの各々を二次変調するステップ（２０４）と、
前記複数の二次変調ビット、及び前記変調ビットストリームの前記０のビット状態を含む前記複数のビットの各々を示す複数のマークを前記記憶媒体に形成するステップ（２０６）と
を備え、
前記複数のマークを形成する前記ステップは、前記記憶媒体の単一の層の多数のトラックに沿って微小反射体の階段式パターンを形成するステップを含んでいる、
方法（２００）。
【請求項２】
記憶媒体にデータを記憶させる方法（２００）であって、
１及び０のビット状態を含む複数のビットを含む変調ビットストリームを受け取るステップ（２０２）と、
複数の二次変調ビットを出力するために前記１のビット状態を含む前記複数のビットの各々を二次変調するステップ（２０４）と、
前記複数の二次変調ビット、及び前記変調ビットストリームの前記０のビット状態を含む前記複数のビットの各々を示す複数のマークを前記記憶媒体に形成するステップ（２０６）と
を備え、
前記複数のマークを形成する前記ステップは、前記記憶媒体の単一の層の多数のトラックに渡って微小反射体の階段式パターンを形成するステップを含んでいる、
方法（２００）。
【請求項３】
前記変調ビットストリームを出力するために光学的信号を一次変調するステップを含んでいる請求項１または２に記載の方法（２００）。
【請求項４】
前記二次変調するステップは、前記変調ビットストリームを位相変調するステップを含んでいる、請求項１乃至３のいずれかに記載の方法（２００）。
【請求項５】
前記位相変調するステップは、前記変調ビットストリームを離散型で位相変調するステップを含んでいる、請求項４に記載の方法（２００）。
【請求項６】
記憶媒体（１２）用の光記録システム（１０）であって、
１及び０のビット状態を含む複数のビットを含む変調ビットストリームを出力するためにチャネルのビットを変調して、
複数の二次変調ビットを出力するために前記１のビット状態を含む前記複数のビットの各々を二次変調する
ように構成されているプロセッサ（２８）と、
該プロセッサ（２８）に電気的に結合されており、
前記プロセッサ（２８）から１又は複数の命令信号を受け取って、
前記複数の二次変調ビットを示す複数のマイクロホログラムを含む複数のマークを前記記憶媒体に形成するように１又は複数の光学的構成要素（１４）を作動させる
ように構成されている光ドライブ電子回路ユニット（２２）と
を備えた光記録システム（１０）。
【請求項７】
前記二次変調ビット（８４）は、複数の位相変調ビット、深さ変調ビット、振幅変調ビット又はこれらの組み合わせの少なくとも一つを含んでいる、請求項６に記載の光記録システム（１０）。
【請求項８】
記憶媒体（１２）用の光学式読み取り器（１０）であって、
変調ビットストリームの０のビット状態を含む複数のビットと複数の二次変調ビット（８６）とを含む前記記憶媒体（１２）から反射光ビーム（１８）を検出して、
前記変調ビットストリームの前記０のビット状態を含む複数のビット、又は
前記変調ビットストリームの前記０のビット状態を含む前記複数のビット及び前記複数の二次変調ビット（８６）
の何れか一方を前記反射光ビームにおいて検出する
ように構成されている光ドライブ電子回路ユニット（２２）
を備え、
前記光ドライブ電子回路ユニット（２２）がホモダイン検出器を備える、
光学式読み取り器（１０）。
【手続補正書】
【提出日】平成26年4月4日(2014.4.4)
【手続補正１】
【補正対象書類名】特許請求の範囲
【補正対象項目名】全文
【補正方法】変更
【補正の内容】
【特許請求の範囲】
【請求項１】
第１のトランジスタと、第２のトランジスタと、第３のトランジスタと、容量素子と、第１の配線と、第２の配線と、遅延回路と、を有し、
前記第１のトランジスタのゲートは、前記第３のトランジスタのソースまたはドレインの一方と電気的に接続され、
前記第１のトランジスタのゲートは、前記容量素子の一方の電極と電気的に接続され、
前記第１のトランジスタのソースまたはドレインの一方は、前記第２のトランジスタのソースまたはドレインの一方と電気的に接続され、
前記第１のトランジスタのソースまたはドレインの他方は、前記第１の配線と電気的に接続され、
前記容量素子の他方の電極は、前記第１の配線と電気的に接続され、
前記遅延回路は、前記第２の配線を介して前記第３のトランジスタのソースまたはドレインの他方と電気的に接続され、
前記第３のトランジスタは、酸化物半導体を含む第３のチャネル形成領域を有することを特徴とする半導体装置。
【請求項２】
第１のトランジスタと、第２のトランジスタと、第３のトランジスタと、容量素子と、第１の配線と、第２の配線と、遅延回路と、を有し、
前記第１のトランジスタのゲートは、前記第３のトランジスタのソースまたはドレインの一方と電気的に接続され、
前記第１のトランジスタのゲートは、前記容量素子の一方の電極と電気的に接続され、
前記第１のトランジスタのソースまたはドレインの一方は、前記第２のトランジスタのソースまたはドレインの一方と電気的に接続され、
前記第１のトランジスタのソースまたはドレインの他方は、前記第１の配線と電気的に接続され、
前記容量素子の他方の電極は、前記第１の配線と電気的に接続され、
前記遅延回路は、前記第２の配線を介して前記第３のトランジスタのソースまたはドレインの他方と電気的に接続され、
前記第３のトランジスタは、酸化物半導体を含む第３のチャネル形成領域を有し、
８５℃の温度環境下であって、ソース−ドレイン電圧が３．１Ｖの条件において、前記第３のトランジスタのチャネル幅あたりのオフ電流は、１００ｚＡ／μｍ以下であることを特徴とする半導体装置。
【請求項３】
請求項１または請求項２において、
前記第１のトランジスタは、シリコンを含む第１のチャネル形成領域を有し、
前記第２のトランジスタは、シリコンを含む第２のチャネル形成領域を有することを特徴とする半導体装置。
【手続補正書】
【提出日】平成26年8月29日(2014.8.29)
【手続補正１】
【補正対象書類名】特許請求の範囲
【補正対象項目名】全文
【補正方法】変更
【補正の内容】
【特許請求の範囲】
【請求項１】
アンカーによって浮上しないように固定された主構造体と、該主構造体から水深方向に延設した柱状の副構造体と、該副構造体内に配置した発泡樹脂製ブロック群とを少なくとも備えた浮体構造物であり、
前記副構造体の下端面は底床版により上端面は上床版により閉鎖されており、前記副構造体内に配置された発泡樹脂製ブロック群の圧縮強度は、上端面近傍側よりも下端面近傍側が大きくなるように発泡樹脂製ブロックが配置されていることを特徴とする浮体構造物。
【請求項２】
請求項１に記載の該発泡樹脂製ブロック群は、圧縮強度の異なる発泡樹脂製ブロックから構成され、前記上端面近傍側の発泡樹脂製ブロックと該下端面近傍側の発泡樹脂製ブロックとの間には、前記上端面近傍側に配置された発泡樹脂製ブロックよりも圧縮強度が大きく、かつ、前記下端面近傍側に配置された発泡樹脂製ブロックよりも圧縮強度が小さい発泡樹脂製ブロックが配置されていることを特徴とする浮体構造物。
【請求項３】
請求項１または２に記載の該発泡樹脂製ブロック群は、圧縮強度の異なる発泡樹脂製ブロックを積み重ねており、水深方向の深くなる方向に、圧縮強度の大きな発泡樹脂製ブロックが配置されていることを特徴とする浮体構造物。
【請求項４】
請求項１から３のいずれか一項に記載の浮体構造物であって、前記副構造体は発泡樹脂製ブロック群を保護するための外殻を備え、該外殻は水深方向に強度が一定であるかまたは水深方向に強度が次第に大きくなることを特徴とする浮体構造物。
【請求項５】
請求項１から４のいずれか一項に記載の浮体構造物であって、前記副構造体は水深方向の適所に少なくとも１枚の中床版を備えることを特徴とする浮体構造物。
【請求項６】
請求項５に記載の浮体構造物であって、前記中床版は、該中床版の裏面側に作用する浮力に起因する応力によって上方に湾曲した姿勢を取ることのできる強度を備えた薄板で構成されていることを特徴とする浮体構造物。
【請求項７】
請求項１〜６のいずれか一項に記載の浮体構造物であって、前記発泡樹脂製ブロックの全部または一部は水平断面が六角形状をなす柱状体で構成されていることを特徴とする浮体構造物。
【請求項８】
請求項１〜７のいずれか一項に記載の浮体構造物であって、前記発泡樹脂製ブロック群を構成する少なくとも上下方向で隣接する発泡樹脂製ブロック同士は、返し片を備えた固定具によって連結固定されていることを特徴とする浮体構造物。
【手続補正書】
【提出日】平成26年2月20日(2014.2.20)
【手続補正１】
【補正対象書類名】特許請求の範囲
【補正対象項目名】全文
【補正方法】変更
【補正の内容】
【特許請求の範囲】
【請求項１】
（ａ）揺動自在に配設された複数のアーマチュアと、
（ｂ）該各アーマチュアの先端に取り付けられた印字ワイヤと、
（ｃ）前記各アーマチュアに対応させて配設され、電磁力を発生させてアーマチュアを吸引する電磁石と、
（ｄ）前記各アーマチュアに対応させて配設され、アーマチュアの回動に伴って、第１の付勢力でアーマチュアを初期状態に復帰させる方向に向けて付勢する第１の付勢部と、
（ｅ）前記各アーマチュアに対応させて配設され、アーマチュアの回動が開始された後に、第２の付勢力でアーマチュアを初期状態に復帰させる方向に向けて付勢する第２の付勢部とを有するとともに、
（ｆ）該各第２の付勢部は板ばねによって形成されることを特徴とするインパクトドットヘッド。
【請求項２】
前記各第２の付勢部は一つの付勢部材によって形成される請求項１に記載のインパクトドットヘッド。
【請求項３】
（ａ）前記各第２の付勢部は、径方向内方に向けて突出させて等ピッチで形成され、
（ｂ）円周方向において、第２の付勢部の先端と前記アーマチュアとが一致させられる請求項１又は２に記載のインパクトドットヘッド。
【請求項４】
前記第２の付勢部のばね定数は第１の付勢部のばね定数より大きくされる請求項１〜３のいずれか１項に記載のインパクトドットヘッド。
【請求項５】
前記第１、第２の付勢部は一体に形成される請求項１〜４のいずれか１項に記載のインパクトドットヘッド。
【請求項６】
前記第１の付勢部はアーマチュアに常時当接させられる請求項５に記載のインパクトドットヘッド。
【請求項７】
前記第１の付勢部におけるアーマチュアと接触する接触部は、所定の曲率半径で湾曲させられる請求項６に記載のインパクトドットヘッド。
【請求項８】
インパクトドットヘッドを備え、印字ワイヤを媒体上に配設されたインクリボンに打ち付けて印字を行う画像形成装置において、
（ａ）前記インパクトドットヘッドは、揺動自在に配設された複数のアーマチュア、該各アーマチュアの先端に取り付けられた印字ワイヤ、前記各アーマチュアに対応させて配設され、電磁力を発生させて前記アーマチュアを吸引する電磁石、前記各アーマチュアに対応させて配設され、アーマチュアの回動に伴って、第１の付勢力でアーマチュアを初期状態に復帰させる方向に向けて付勢する第１の付勢部、及び前記各アーマチュアに対応させて配設され、アーマチュアの回動が開始された後に、第２の付勢力でアーマチュアを初期状態に復帰させる方向に向けて付勢する第２の付勢部を有するとともに、
（ｂ）該各第２の付勢部は板ばねによって形成されることを特徴とする画像形成装置。
【手続補正２】
【補正対象書類名】明細書
【補正対象項目名】００１５
【補正方法】変更
【補正の内容】
【００１５】
そのために、本発明のインパクトドットヘッドにおいては、揺動自在に配設された複数のアーマチュアと、該各アーマチュアの先端に取り付けられた印字ワイヤと、前記各アーマチュアに対応させて配設され、電磁力を発生させてアーマチュアを吸引する電磁石と、前記各アーマチュアに対応させて配設され、アーマチュアの回動に伴って、第１の付勢力でアーマチュアを初期状態に復帰させる方向に向けて付勢する第１の付勢部と、前記各アーマチュアに対応させて配設され、アーマチュアの回動が開始された後に、第２の付勢力でアーマチュアを初期状態に復帰させる方向に向けて付勢する第２の付勢部とを有する。
【手続補正３】
【補正対象書類名】明細書
【補正対象項目名】００１６
【補正方法】変更
【補正の内容】
【００１６】
そして、該各第２の付勢部は板ばねによって形成される。
【手続補正４】
【補正対象書類名】明細書
【補正対象項目名】００１７
【補正方法】変更
【補正の内容】
【００１７】
本発明によれば、インパクトドットヘッドにおいては、揺動自在に配設された複数のアーマチュアと、該各アーマチュアの先端に取り付けられた印字ワイヤと、前記各アーマチュアに対応させて配設され、電磁力を発生させてアーマチュアを吸引する電磁石と、前記各アーマチュアに対応させて配設され、アーマチュアの回動に伴って、第１の付勢力でアーマチュアを初期状態に復帰させる方向に向けて付勢する第１の付勢部と、前記各アーマチュアに対応させて配設され、アーマチュアの回動が開始された後に、第２の付勢力でアーマチュアを初期状態に復帰させる方向に向けて付勢する第２の付勢部とを有する。
【手続補正５】
【補正対象書類名】明細書
【補正対象項目名】００１８
【補正方法】変更
【補正の内容】
【００１８】
そして、該各第２の付勢部は板ばねによって形成される。
【手続補正６】
【補正対象書類名】明細書
【補正対象項目名】００１９
【補正方法】変更
【補正の内容】
【００１９】
この場合、各第２の付勢部が板ばねによって形成されるので、インパクトドットヘッドの構造を簡素化することができ、製造時に、インパクトドットヘッドを容易に組み立てることができる。
【手続補正書】
【提出日】平成26年2月10日(2014.2.10)
【手続補正１】
【補正対象書類名】特許請求の範囲
【補正対象項目名】全文
【補正方法】変更
【補正の内容】
【特許請求の範囲】
【請求項１】
通信可能に接続された複数のプレイヤによって実行されるゲームを提供するゲーム提供装置であって、
ゲームで用いる複数のゲーム媒体に関する情報を記憶する媒体情報記憶手段と、
前記ゲーム媒体を配置するための複数の領域に関する情報を記憶する領域情報記憶手段と、
前記複数のプレイヤ各々からの要求に応答して、前記媒体情報記憶手段に記憶されている複数のゲーム媒体の中から当該プレイヤが使用可能なゲーム媒体を決定する媒体決定手段と、
前記領域情報記憶手段に記憶されている複数の領域のうち前記決定されたゲーム媒体を配置可能な１又は複数の領域の中から前記プレイヤによって任意に選択された領域を当該ゲーム媒体を配置する領域として受け付ける領域選択受付手段と、
前記ゲーム媒体を配置する領域として選択された領域に当該ゲーム媒体を配置する媒体配置手段と、
前記ゲーム媒体の前記領域への配置に応じて当該領域に対応するポイントを前記プレイヤに付与するポイント付与手段と、
前記複数のプレイヤ各々に付与されたポイントに基づいてゲームの結果を判定する結果判定手段と、
を備えるゲーム提供装置。
【請求項２】
前記媒体決定手段は、前記使用可能なゲーム媒体を抽選によって決定する手段である請求項１記載のゲーム提供装置。
【請求項３】
請求項１または２記載のゲーム提供装置であって、
前記ゲーム媒体の前記領域への配置に対して前記プレイヤが投入する価値情報を受け付ける価値情報受付手段を備え、
前記ポイント付与手段は、前記受け付けた価値情報に基づいて前記プレイヤに付与するポイントを決定する手段である、
ゲーム提供装置。
【請求項４】
前記ポイント付与手段は、前記受け付けた価値情報の価値が高いほど、前記プレイヤに付与するポイントが高くなる傾向で当該ポイントを決定する手段である請求項３記載のゲーム提供装置。
【請求項５】
請求項１ないし４いずれか記載のゲーム提供装置であって、
前記媒体情報記憶手段は、前記ゲーム媒体が有するパラメータ値を、当該ゲーム媒体を識別する情報と対応付けて記憶する手段であり、
前記ポイント付与手段は、前記領域へ配置されたゲーム媒体が有するパラメータ値を前記媒体情報記憶手段から取得し、当該取得したパラメータ値に基づいて前記プレイヤへ付与するポイントを決定する手段である、
ゲーム提供装置。
【請求項６】
請求項５記載のゲーム提供装置であって、
前記媒体配置手段によって前記ゲーム媒体が前記領域へ配置されてからの経過時間を判定する経過時間判定手段を備え、
前記媒体情報記憶手段は、前記ゲーム媒体が有するパラメータ値の一つとして、所定時間当たりに獲得可能なポイントを示すポイント獲得速度を記憶する手段であり、
前記ポイント付与手段は、前記経過時間と前記ポイント獲得速度とに基づいて前記プレイヤに付与するポイントを決定する手段である、
ゲーム提供装置。
【請求項７】
所定条件の成立に伴って、前記媒体配置手段によるゲーム媒体の配置を解除する配置解除手段を備える請求項１ないし６いずれか記載のゲーム提供装置。
【請求項８】
前記配置解除手段は、各プレイヤに付与された前記領域に対応するポイントの累計が、当該領域に設定された所定の上限ポイントに達することを前記所定条件の一つとして、前記ゲーム媒体の配置を解除する手段である請求項７記載のゲーム提供装置。
【請求項９】
前記配置解除手段は、各プレイヤに付与された前記領域に対応するポイントの累計が、当該領域に設定された所定の上限ポイントに達した際の、当該領域に前記ゲーム媒体を配置したプレイヤに対して所定の報酬を付与する手段である請求項８記載のゲーム提供装置。
【請求項１０】
前記結果判定手段は、ゲームを開始してからの経過時間が所定の上限時間に達したときに、前記ゲームの結果を判定する手段である請求項１ないし９いずれか記載のゲーム提供装置。
【請求項１１】
前記結果判定手段は、前記複数の領域の全ての領域において、各プレイヤに付与された当該領域に対応するポイントの累計が、当該領域に設定された所定の上限ポイントに達したときに、前記ゲームの結果を判定する手段である請求項１ないし１０いずれか記載のゲーム提供装置。
【請求項１２】
前記結果判定手段は、１以上のプレイヤを有する複数のチーム毎に前記プレイヤに付与されたポイントを集計し、当該集計結果に基づいてゲームの結果を判定する手段である請求項１ないし１１いずれか記載のゲーム提供装置。
【請求項１３】
ゲームで用いる複数のゲーム媒体に関する情報を記憶する媒体情報記憶手段と、前記ゲーム媒体を配置するための複数の領域に関する情報を記憶する領域情報記憶手段と、にアクセス可能なコンピュータを、通信可能に接続された複数のプレイヤによって実行されるゲームを提供するゲーム提供装置として機能させるプログラムであって、
前記複数のプレイヤ各々からの要求に応答し、前記媒体情報記憶手段に記憶されている複数のゲーム媒体の中から当該プレイヤが使用可能なゲーム媒体を決定する媒体決定処理と、
前記領域情報記憶手段に記憶されている複数の領域のうち前記決定されたゲーム媒体を配置可能な１又は複数の領域の中から前記プレイヤによって任意に選択された領域を当該ゲーム媒体を配置する領域として受け付ける領域選択受付処理と、
前記ゲーム媒体を配置する領域として選択された領域に当該ゲーム媒体を配置する媒体配置処理と、
前記ゲーム媒体の前記領域への配置に応じて当該領域に対応するポイントを前記プレイヤに付与するポイント付与処理と、
前記複数のプレイヤ各々に付与されたポイントに基づいてゲームの結果を判定する結果判定処理と、
を前記コンピュータに実行させるプログラム。
【手続補正書】
【提出日】平成26年2月10日(2014.2.10)
【手続補正１】
【補正対象書類名】特許請求の範囲
【補正対象項目名】全文
【補正方法】変更
【補正の内容】
【特許請求の範囲】
【請求項１】
ゲームを提供するゲーム提供装置であって、
ゲームで用いる複数のゲーム媒体に関する情報を記憶する媒体情報記憶手段と、
前記ゲーム媒体を配置するための複数の領域に関する情報を記憶する領域情報記憶手段と、
第１のプレイヤと第２のプレイヤとを含む複数のプレイヤ各々からの要求に応答して、前記媒体情報記憶手段に記憶されている複数のゲーム媒体の中から当該プレイヤが使用可能なゲーム媒体を決定する媒体決定手段と、
前記領域情報記憶手段に記憶されている複数の領域の中から前記決定されたゲーム媒体を配置する領域の選択を前記複数のプレイヤ各々から受け付ける領域選択受付手段と、
前記ゲーム媒体の前記領域への配置に対して前記プレイヤが投入する価値情報を受け付ける価値情報受付手段と、
前記第１のプレイヤにより選択された領域がいずれのゲーム媒体も配置されていない領域である場合には当該領域に前記媒体決定手段により決定された当該第１のプレイヤが使用可能なゲーム媒体を配置し、前記第１のプレイヤにより選択された領域が前記第２のプレイヤによりゲーム媒体が配置されている競合領域である場合には、当該第１のプレイヤによって投入された第１の前記価値情報と当該第２のプレイヤによって投入された第２の前記価値情報との比較に基づく配置処理を行う媒体配置手段と、
前記ゲーム媒体の前記領域への配置に応じて当該領域に対応するポイントを当該ゲーム媒体を配置したプレイヤに付与するポイント付与手段と、
前記複数のプレイヤ各々に付与されたポイントに基づいてゲームの結果を判定する結果判定手段と、
を備えるゲーム提供装置。
【請求項２】
前記配置処理は、前記第２のプレイヤのゲーム媒体に代えて前記第１のプレイヤのゲーム媒体を前記競合領域に配置する処理、前記第２のプレイヤのゲーム媒体の前記競合領域への配置を維持する処理、前記第２のプレイヤのゲーム媒体の前記競合領域への配置を解除する処理、の少なくとも一つの処理を含む請求項１記載のゲーム提供装置。
【請求項３】
前記媒体配置手段は、前記第１の価値情報と前記第２の価値情報との優劣を所定のルールに従って決定し、当該優劣に基づく前記配置処理を行う手段である請求項１または２記載のゲーム提供装置。
【請求項４】
請求項３記載のゲーム提供装置であって、
前記媒体配置手段は、前記第１の価値情報および前記第２の価値情報の大小関係に基づいて優劣を決定する手段である、
ゲーム提供装置。
【請求項５】
前記媒体配置手段は、前記第１の価値情報が前記第２の価値情報よりも優位である場合には、前記配置処理として、前記第２のプレイヤのゲーム媒体に代えて前記第１のプレイヤのゲーム媒体を前記競合領域に配置する手段である請求項３または４記載のゲーム提供装置。
【請求項６】
前記媒体配置手段は、前記第２の価値情報が前記第１の価値情報よりも優位である場合には、前記配置処理として、前記第２のプレイヤのゲーム媒体の前記競合領域への配置を維持する手段である請求項３ないし５いずれか記載のゲーム提供装置。
【請求項７】
前記媒体配置手段は、前記第１の価値情報と前記第２の価値情報が同位である場合には、前記配置処理として、前記第２のプレイヤのゲーム媒体の前記競合領域への配置を解除する手段である請求項３ないし６いずれか記載のゲーム提供装置。
【請求項８】
前記媒体決定手段は、前記使用可能なゲーム媒体を抽選によって決定する手段である請求項１ないし７いずれか記載のゲーム提供装置。
【請求項９】
ゲームで用いる複数のゲーム媒体に関する情報を記憶する媒体情報記憶手段と、前記ゲーム媒体を配置するための複数の領域に関する情報を記憶する領域情報記憶手段と、にアクセス可能なコンピュータを、ゲームを提供するゲーム提供装置として機能させるプログラムであって、
第１のプレイヤと第２のプレイヤとを含む複数のプレイヤ各々からの要求に応答して、前記媒体情報記憶手段に記憶されている複数のゲーム媒体の中から当該プレイヤが使用可能なゲーム媒体を決定する媒体決定処理と、
前記領域情報記憶手段に記憶されている複数の領域の中から前記決定されたゲーム媒体を配置する領域の選択を前記複数のプレイヤ各々から受け付ける領域選択受付処理と、
前記ゲーム媒体の前記領域への配置に対して前記プレイヤが投入する価値情報を受け付ける価値情報受付処理と、
前記第１のプレイヤにより選択された領域がいずれのゲーム媒体も配置されていない領域である場合には当該領域に前記媒体決定処理により決定された当該第１のプレイヤが使用可能なゲーム媒体を配置し、前記第１のプレイヤにより選択された領域が前記第２のプレイヤによりゲーム媒体が配置されている競合領域である場合には、当該第１のプレイヤによって投入された第１の前記価値情報と当該第２のプレイヤによって投入された第２の前記価値情報との比較に基づく配置処理を行う媒体配置処理と、
前記ゲーム媒体の前記領域への配置に応じて当該領域に対応するポイントを当該ゲーム媒体を配置したプレイヤに付与するポイント付与処理と、
前記複数のプレイヤ各々に付与されたポイントに基づいてゲームの結果を判定する結果判定処理と、
を前記コンピュータに実行させるプログラム。
【手続補正書】
【提出日】平成26年4月25日(2014.4.25)
【手続補正１】
【補正対象書類名】特許請求の範囲
【補正対象項目名】全文
【補正方法】変更
【補正の内容】
【特許請求の範囲】
【請求項１】
各々を識別可能な複数種類の識別情報の可変表示を行って表示結果を導出表示する複数の可変表示部から構成される可変表示手段に予め定められた特定表示結果が導出表示されたときに、遊技者にとって有利な特定遊技状態に制御する遊技機であって、 
識別情報の可変表示の表示結果を導出表示する前に、前記特定遊技状態に制御するか否かを事前決定する事前決定手段と、 
前記可変表示手段においてリーチ状態に制御するリーチ状態制御手段と、 
識別情報の可変表示が開始されてから前記リーチ状態制御手段により一旦前記リーチ状態に制御させた後に全ての識別情報について可変表示を再度実行するリーチ後再可変表示を実行するか否かを決定する再可変表示決定手段と、 
前記再可変表示決定手段による決定結果にもとづいて前記リーチ後再可変表示を実行可能な再可変表示実行手段と、 
前記リーチ状態制御手段により一旦前記リーチ状態に制御させた後、前記再可変表示実行手段により前記リーチ後再可変表示が実行されるか否かに関わらず、前記再可変表示実行手段による前記リーチ後再可変表示が実行される可能性を報知する再可変表示報知演出を実行する再可変表示報知演出実行手段と、 
前記リーチ状態制御手段により前記リーチ状態に制御された後、複数の異なるリーチ演出のうちから一のリーチ演出を実行するリーチ演出実行手段と、 
前記リーチ演出実行手段によってリーチ演出が実行される前に、前記リーチ演出実行手段が実行可能なリーチ演出と、前記可変表示手段において可変表示される識別情報と、の組合せにて構成される組合せパターンを複数提示する予告演出を実行する予告演出実行手段と、 
を備え、 
前記リーチ演出実行手段は、予告演出にて提示された複数の組合せパターンのうちの一の組合せパターンに対応するリーチ演出を実行し、 
前記予告演出実行手段は、複数の組合せパターンを提示するための複数の異なる表示態様のうちの特定の表示態様による予告演出又は特定の組合せパターンの提示を含む予告演出の少なくとも一方の予告演出を、前記事前決定手段によって前記特定遊技状態に制御することが決定されているときには、前記特定遊技状態に制御することが決定されていないときとは異なる割合にて実行する 
ことを特徴とする遊技機。 
【請求項２】
識別情報の可変表示が開始されてから全ての識別情報について可変表示を再度実行する再可変表示が実行されることを予告する再可変表示予告演出を実行する再可変表示予告演出実行手段
をさらに備えることを特徴とする請求項１に記載の遊技機。
【手続補正２】
【補正対象書類名】明細書
【補正対象項目名】０００８
【補正方法】変更
【補正の内容】
【０００８】
（１）上記目的を達成するため、本発明の第１の観点に係る遊技機は、 
各々を識別可能な複数種類の識別情報（例えば、演出図柄など）の可変表示を行って表示結果を導出表示する複数の可変表示部（例えば、演出図柄表示エリア５Ｌ、５Ｃ、５Ｒなど）から構成される可変表示手段（例えば、演出表示装置５など）に予め定められた特定表示結果（例えば、大当り図柄など）が導出表示されたときに、遊技者にとって有利な特定遊技状態（例えば、大当り状態など）に制御する遊技機（例えば、パチンコ機１）であって、 
識別情報の可変表示の表示結果を導出表示する前に、前記特定遊技状態に制御するか否かを事前決定する事前決定手段（例えば、遊技制御用マイクロコンピュータ１００がステップＳ２４１を実施する部分など）と、 
前記可変表示手段においてリーチ状態に制御するリーチ状態制御手段（例えば、演出制御用ＣＰＵ１２０がステップＳ５６５を実施する部分など）と、 
識別情報の可変表示が開始されてから前記リーチ状態制御手段により一旦前記リーチ状態に制御させた後に全ての識別情報について可変表示を再度実行するリーチ後再可変表示を実行するか否かを決定する再可変表示決定手段（例えば、遊技制御用マイクロコンピュータ１００がステップＳ１１１を実施する部分など）と、 
前記再可変表示決定手段による決定結果にもとづいて前記リーチ後再可変表示を実行可能な再可変表示実行手段（例えば、演出制御用ＣＰＵ１２０がステップＳ１７２を実施する部分など）と、 
前記リーチ状態制御手段により一旦前記リーチ状態に制御させた後、前記再可変表示実行手段により前記リーチ後再可変表示が実行されるか否かに関わらず、前記再可変表示実行手段による前記リーチ後再可変表示が実行される可能性を報知する再可変表示報知演出を実行する再可変表示報知演出実行手段（例えば、演出制御用ＣＰＵ１２０がステップＳ５７５を実施する部分など）と、 
前記リーチ状態制御手段により前記リーチ状態に制御された後、複数の異なるリーチ演出（例えば、スーパーリーチＡ〜Ｄなど）のうちから一のリーチ演出を実行するリーチ演出実行手段（例えば、演出制御用ＣＰＵ１２０がステップＳ５７７を実施する部分など）と、 
前記リーチ演出実行手段によってリーチ演出が実行される前に、前記リーチ演出実行手段が実行可能なリーチ演出（例えば、スーパーリーチＡ〜Ｄなど）と、前記可変表示手段において可変表示される識別情報（例えば、演出図柄「１」〜「９」など）と、の組合せにて構成される組合せパターンを複数提示する予告演出を実行する予告演出実行手段（例えば、演出制御用ＣＰＵ１２０がステップＳ５ 
７１を実施する部分など）と、 
を備え、 
前記リーチ演出実行手段は、予告演出にて提示された複数の組合せパターンのうちの一の組合せパターンに対応するリーチ演出を実行し（例えば、演出制御用ＣＰＵ１２０がステップＳ９０６またはステップＳ９１２において移行組合せパターンの表示位置を決定し、該移行組合せパターンのスーパーリーチの演出をステップＳ５５５にて実行する部分など）、 
前記予告演出実行手段は、複数の組合せパターンを提示するための複数の異なる表示態様（例えば、横分割パネルや縦分割パネルなど）のうちの特定の表示態様（例えば縦分割パネルなど）による予告演出又は特定の組合せパターンの提示を含む予告演出（例えば、変形例におけるスーパーリーチＤと「７」との組合せパターンなど）の少なくとも一方の予告演出を、前記事前決定手段によって前記特定遊技状態に制御することが決定されているときには、前記特定遊技状態に制御することが決定されていないときとは異なる割合にて実行する（例えば、演出制御用ＣＰＵ１２０が、図２４のパネル種別決定用テーブルを用いてパネル種別を決定する部分や、変形例においてスーパーリーチ大当りの場合において、スーパーリーチハズレの場合よりも高い割合にてスーパーリーチＤと「７」との組合せパターンの表示を決定し、該決定した予告演出を実行する部分など） 
ことを特徴とする。
【手続補正書】
【提出日】平成26年11月7日(2014.11.7)
【手続補正１】
【補正対象書類名】明細書
【補正対象項目名】０００１
【補正方法】変更
【補正の内容】
【０００１】
この発明は、基体に付着した付着物を剥ぎ取る為のメッシュ状の剥ぎ取り具であって、ミトン型手袋状の形態を有し、そのミトン型は親指が横に分離型ではなく、四本指と親指が上下に向かい合う形状で、それを利用して基体を挟み込んで剥ぎ取る事の可能な構造とし、メッシュを構成する線状部材の直径が約0．４ミリ、メッシュの１辺が４ミリ~５ミリであり、それの２重構造であることを特徴とするポリエチレン製剥ぎ取り具である。さらに通気性を保ため、手を通す部分に引っ掛け用のループを有する。
【手続補正書】
【提出日】平成26年1月7日(2014.1.7)
【手続補正１】
【補正対象書類名】特許請求の範囲
【補正対象項目名】全文
【補正方法】変更
【補正の内容】
【特許請求の範囲】
【請求項１】
被検体である動物を診断装置を用いて診断する際に用いる診断装置用動物固定器具において、
剛性材料からなる枠体を備え、
その内部に被検体である動物を入れられる構造であり、
その内側に、柔軟材料から構成され、被検体である動物を押圧して固定する部材を備え、
その頭部側に、外部からの光を遮光する部材を備えた診断装置用動物固定器具。
【請求項２】
請求項1記載の診断装置用動物固定器具において、
前記被検体である動物を押圧して固定する部材は、スポンジまたは綿からなることを特徴とする診断装置用動物固定器具。
【請求項３】
請求項1記載の診断装置用動物固定器具において、
前記被検体である動物を押圧して固定する部材は、空気袋を備え、当該空気袋への空気の挿入・排出により圧迫度を変更するように構成したことを特徴とする診断装置用動物固定器具。
【請求項４】
請求項1〜３の何れか一つに記載の診断装置用動物固定器具において、
被検体の口や手足に対応する部分が開口部を備えていることを特徴とする診断装置用動物固定器具。
【請求項５】
請求項1〜４の何れか一つに記載の診断装置用動物固定器具において、
前記外部からの光を遮光する部材はマジックミラーまたは液晶から構成されていることを特徴とする診断装置用動物固定器具。
【請求項６】
請求項1〜５の何れか一つに記載の診断装置用動物固定器具において、
被検体である動物の頭頂部が位置する部分に、外部雑音を遮断する防音部材を設けたことを特徴とする診断装置用動物固定器具。
【請求項７】
請求項1〜６の何れか一つに記載の診断装置用動物固定器具において、
局所的に被検体にアプローチ可能なオープン窓を備えていることを特徴とする診断装置用動物固定器具。
【請求項８】
請求項1〜７の何れか一つに記載の診断装置用動物固定器具において、
着脱可能なＭＲＩ装置用の受信コイルを備えていることを特徴とする診断装置用動物固定器具。
【請求項９】
請求項1〜８の何れか一つに記載の診断装置用動物固定器具において、
前記診断装置用動物固定器具は、生体情報を取得する手段が内蔵されており、前記動物固定器具に設けた電気線を介して、外部表示ユニットに接続するように構成したことを特徴とする診断装置用動物固定器具。
【請求項１０】
請求項1〜９の何れか一つに記載の診断装置用動物固定器具において、
前記剛性材料からなる枠体は、複数のジョイント部を備え、
前記ジョイント部で分割できるとともに、前記ジョイント部で折れ曲がるように構成されていることを特徴とする診断装置用動物固定器具。
【請求項１１】
請求項1〜１０の何れか一つに記載の診断装置用動物固定器具と、
前記診断装置用動物固定器具を用いて被検体である動物を固定しつつ被検体を撮像する診断装置と、
撮像結果を表示する表示装置とから構成される手術支援システム。
【請求項１２】
請求項1１に記載の手術支援システムにおいて、
前記診断装置はＭＲＩ装置であり、当該ＭＲＩ装置は、被検体の複数の領域のボリュームデータを収集するように構成したことを特徴とする手術支援システム。
【請求項１３】
請求項1２に記載の手術支援システムにおいて、
前記ＭＲＩ装置は、術具位置に応じたＩＳＣ撮像を行ない、術具位置に応じてナビゲーションに適用するボリュームデータをリアルタイムに変更するように構成したことを特徴とする手術支援システム。
【請求項１４】
請求項1３に記載の手術支援システムにおいて、手術前に、
前記表示装置は、被検体の前記複数の領域のボリュームデータを表示するとともに、参照画面上で、領域を特定するように構成したことを特徴とする手術支援システム。
【請求項１５】
請求項1３に記載の手術支援システムにおいて、臨床時に、
前記表示装置は、前記ボリュームデータに基づき被検体の３Ｄ画像を表示すると共に、ＩＳＣ撮像による術具位置に応じたリアルタイム画像を表示するように構成したことを特徴とする手術支援システム。
【請求項１６】
請求項1５に記載の手術支援システムにおいて、
前記表示装置は、前記３Ｄ画像および前記術具位置に応じたリアルタイム画像上に、シミュレーションによる手術経路と実際の術具位置を表示するように構成したことを特徴とする手術支援システム。
【手続補正２】
【補正対象書類名】明細書
【補正対象項目名】００１０
【補正方法】変更
【補正の内容】
【００１０】
本発明の診断装置用動物固定器具において、前記被検体である動物を押圧して固定する部材は、スポンジまたは綿からなるものでよい。
また、本発明の診断装置用動物固定器具において、前記被検体である動物を押圧して固定する部材は、空気袋を備え、当該空気袋への空気の挿入・排出により圧迫度を変更するように構成したものでよい。
また、本発明の診断装置用動物固定器具において、被検体の口や手足に対応する部分が開口部を備えているものでよい。
また、本発明の診断装置用動物固定器具において、前記外部からの光を遮光する部材はマジックミラーまたは液晶から構成されているものでよい。
また、本発明の診断装置用動物固定器具において、被検体である動物の頭頂部が位置する部分に、外部雑音を遮断する防音部材を設けたものでよい。
また、本発明の診断装置用動物固定器具において、局所的に被検体にアプローチ可能なオープン窓を備えているものでよい。
【手続補正３】
【補正対象書類名】明細書
【補正対象項目名】００１１
【補正方法】変更
【補正の内容】
【００１１】
また、本発明の診断装置用動物固定器具において、着脱可能なＭＲＩ装置用の受信コイルを備えているものでよい。
また、本発明の診断装置用動物固定器具において、前記診断装置用動物固定器具は、生体情報を取得する手段が内蔵されており、前記動物固定器具に設けた電気線を介して、外部表示ユニットに接続するように構成したものでよい。
また、本発明の診断装置用動物固定器具において、前記剛性材料からなる枠体は、複数のジョイント部を備え、前記ジョイント部で分割できるとともに、前記ジョイント部で折れ曲がるように構成されているものでよい。
【手続補正書】
【提出日】平成26年5月21日(2014.5.21)
【手続補正１】
【補正対象書類名】特許請求の範囲
【補正対象項目名】請求項１
【補正方法】変更
【補正の内容】
【請求項１】
溝が形成された振動脚を有する水晶振動子片の製造方法において、
水晶基板に第１の金属層を形成する第１の金属層形成工程と、
前記第１の金属層の上に第２の金属層を形成する第２の金属層形成工程と、
前記第２の金属層の上にレジスト層を形成するレジスト層形成工程と、
前記レジスト層を前記水晶振動子片の外形に応じた形状の第１のレジストパターンに加工する第１のレジスト層加工工程と、
前記第１のレジストパターンをマスクにして前記第２の金属層を第１の金属パターンに加工する第１の金属層加工工程と、
前記第１のレジストパターンを、前記溝に応じた形状を有する第２のレジストパターンに加工する第２のレジスト層加工工程と、
前記第１の金属パターン上に加工された前記第２の金属層をマスクにして、前記水晶基板をエッチングして、前記振動脚の外形部分を加工する第１のエッチング工程と、
前記第２のレジストパターンをマスクにして前記第２の金属層のみを第２の金属パターンに加工する第２の金属層加工工程と、
前記第２の金属パターンに加工された前記第２の金属層をマスクにして前記第１の金属層と前記水晶基板とを一度にエッチングして、前記振動脚の外形部分と溝部分とを加工する第２のエッチング工程と、を備える
ことを特徴とする水晶振動子片の製造方法。
【手続補正２】
【補正対象書類名】明細書
【補正対象項目名】００１０
【補正方法】変更
【補正の内容】
【００１０】
上記の課題を解決するための本発明の水晶振動子片の製造方法は、溝が形成された振動脚を有する水晶振動子片の製造方法において、水晶基板に第１の金属層を形成する第１の金属層形成工程と、第１の金属層の上に第２の金属層を形成する第２の金属層形成工程と、第２の金属層の上にレジスト層を形成するレジスト層形成工程と、レジスト層を水晶振動子片の外形に応じた形状の第１のレジストパターンに加工する第１のレジスト層加工工程と、第１のレジストパターンをマスクにして第２の金属層を第１の金属パターンに加工する第１の金属層加工工程と、第１のレジストパターンを、溝に応じた形状を有する第２のレジストパターンに加工する第２のレジスト層加工工程と、第１の金属パターン上に加工された第２の金属層をマスクにして、水晶基板をエッチングして、振動脚の外形部分を
加工する第１のエッチング工程と、第２のレジストパターンをマスクにして第２の金属層のみを第２の金属パターンに加工する第２の金属層加工工程と、第２の金属パターンに加工された第２の金属層をマスクにして第１の金属層と水晶基板とを一度にエッチングして、振動脚の外形部分と溝部分とを加工する第２のエッチング工程と、を備えることを特徴とする。